(57)【要約】      （修正有）【課題】種々の状況に応じて携帯情報端末を使い勝手のよい形態でもって使用できる携帯情報端末用のアクセサリセット体および三脚を提供する。【解決手段】三脚１０と、三脚１０に着脱自在に取付けられて携帯情報端末Ｋ１を保持するホルダ２０と、携帯情報端末Ｋ１と無線通信される携帯式の多機能ボックス４０と、を備えている。三脚１０の各脚部１３は、３６０度以上曲げ変形可能とされて、適宜の固定対象物（例えば自転車７１の買い物籠７２や、自動車のバックミラー等）に対して巻き付け固定可能とされている。多機能ボックス４０は、携帯情報端末Ｋ１に関してのスピーカ機能とマイク機能とシャッタ機能とオンフック機能とを有している。【選択図】図７
0003201014.tif 000002
【実用新案登録請求の範囲】
【請求項１】
三脚と、
前記三脚に着脱自在に取付けられ、携帯情報端末を保持するホルダと、
前記携帯情報端末と無線通信される携帯式の多機能ボックスと、
を備え、
前記三脚における各脚部は、３６０度以上曲げ変形可能とされ、
前記多機能ボックスは、前記携帯情報端末に関してのスピーカ機能とマイク機能とシャッタ機能とオンフック機能とを有している、
ことを特徴とする携帯情報端末用のアクセサリセット体。
【請求項２】
請求項１において、
前記脚部は、曲げ変形可能な心材となる針金と、該針金の外周を覆うクッション性を有する被覆材とによって構成されている、ことを特徴とする携帯情報端末用のアクセサリセット体。
【請求項３】
請求項１または請求項２において、
前記多機能ボックスは、電源スイッチをさらに有し、
前記電源スイッチが、シャッタボタンとオンフックボタンとを兼用している、
ことを特徴とする携帯情報端末用のアクセサリセット体。
【請求項４】
請求項１ないし請求項３のいずれか１項において、
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ことを特徴とする携帯情報端末用のアクセサリセット体。
【請求項５】
請求項１ないし請求項４のいずれか１項において、
前記多機能ボックスは、先端部に前記携帯情報端末のイヤホンジャックに着脱自在に接続される接続部を有する連結紐を有している、ことを特徴とする携帯情報端末用のアクセサリセット体。
【請求項６】
請求項１ないし請求項５のいずれか１項において、
前記ホルダが、小型の携帯情報端末用と大型の携帯情報端末用との少なくとも２種類設けられている、ことを特徴とする携帯情報端末用のアクセサリセット体。
【請求項７】
携帯情報端末を保持したホルダが着脱自在に取付られる三脚であって、
各脚部が、３６０度以上曲げ変形可能とされている、
ことを特徴とする三脚。
【請求項８】
請求項７において、
前記脚部は、曲げ変形可能な心材となる針金と、該針金の外周を覆うクッション性を有する被覆材とによって構成されている、ことを特徴とする三脚。
【請求項９】
請求項７または請求項８において、
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ことを特徴とする三脚。
【請求項１０】
携帯情報端末と無線通信され、該携帯情報端末に関してのスピーカ機能とマイク機能とシャッタ機能とオンフック機能とを有している、ことを特徴とする携帯式の多機能ボックス。
【請求項１１】
請求項１０において、
電源スイッチをさらに有し、
前記電源スイッチが、シャッタボタンとオンフックボタンとを兼用している、
ことを特徴とする携帯式の多機能ボックス。
【請求項１２】
請求項１０または請求項１１において、
先端部に前記携帯情報端末のイヤホンジャックに着脱自在に接続される接続部を有する連結紐を有している、ことを特徴とする携帯式の多機能ボックス。
【考案の詳細な説明】
【技術分野】
【０００１】
本考案は、携帯情報端末用のアクセサリセット体、三脚および多機能ボックスに関するものである。
【背景技術】
【０００２】
スマートフォンやタブレット型のパーソナルコンピュータのような携帯情報端末が広く普及している。この携帯情報端末は、電話機能、カメラ機能、ナビゲーション機能、メール機能、インターネット機能等々、各種の機能を有している他、アプリケーションを適宜追加することにより多種多様の機能を発揮することが可能となっている。このようなことから、携帯情報端末を用いたユーザによる楽しみ方も広がる傾向にある。例えば、一般的なカメラと同様に三脚を利用した撮影を行う他に、自動車においては、ナビゲーション機能を使用したり、カメラ機能のうち動画撮影機能を利用してドライブレコーダとして使用されることも行われている。特許文献１には、三脚に対して携帯情報端末を取付けるためのホルダが開示されている。
【先行技術文献】
【特許文献】
【０００３】
【特許文献１】特開２０１１−３０２１４号公報
【考案の概要】
【考案が解決しようとする課題】
【０００４】
ところで、携帯情報端末を利用した楽しみ方をより広げるために、携帯情報端末が種々のシーンでより使い勝手のよい形態でもって使用できることが望まれるものである。
【０００５】
本考案は以上のような事情を勘案してなされたもので、その目的は、種々の状況に応じて携帯情報端末を使い勝手のよい形態でもって使用できるようにした携帯情報端末用のアクセサリセット体、三脚および多機能ボックスを提供することにある。
【課題を解決するための手段】
【０００６】
前記目的を達成するため、本考案における携帯情報端末用のアクセサリセット体にあっては次のような解決手法を採択してある。すなわち、請求項１に記載のように、
三脚と、
前記三脚に着脱自在に取付けられ、携帯情報端末を保持するホルダと、
前記携帯情報端末と無線通信される携帯式の多機能ボックスと、
を備え、
前記三脚における各脚部は、３６０度以上曲げ変形可能とされ、
前記多機能ボックスは、前記携帯情報端末に関してのスピーカ機能とマイク機能とシャッタ機能とオンフック機能とを有している、
ようにしてある。
【０００７】
上記解決手法によれば、携帯情報端末を保持したホルダを三脚に取付けることにより、通常の（一般的）な三脚を利用した場合と同様の使用の仕方を得ることができる。また、三脚の脚部を大きく曲げ変形させて、例えば自動車のバックミラーや、自転車、オートバイのハンドル等に巻き付けて固定しておくことにより、携帯情報端末を安定した好ましい姿勢状態に保持して、カメラ機能（撮影機能）、ナビゲーション機能、ドライブレコーダ機能等として使用する上で好ましいものとなる。勿論、三脚の脚部を、室内等においても適宜の棒状部材に巻き付け固定して、室内の所望の角度位置から撮影を行う等の上でも好ましいものとなる。また、多機能ボックスが、無線通信を介して、携帯情報端末のスピーカ機能、マイク機能、シャッタ機能およびオンフック機能を有しているので、携帯情報端末の音声を所望音量に拡大して聴いたり、ハンズフリーでもって電話をしたり、遠隔操作で所望タイミングでシャッタ機能を発揮させる等の上で好ましいものとなる。
【０００８】
上記解決手法を前提とした好ましい態様は、請求項２〜請求項５に記載のとおりである。すなわち、
前記脚部は、曲げ変形可能な心材となる針金と、該針金の外周を覆うクッション性を有する被覆材とによって構成されている、ようにしてある（請求項２対応）。この場合、脚部を安価に構成しつつ、被覆材により手触りのよいものとなる他、棒状部材等の適宜の固定対象部材に脚部を巻き付け固定する際に、固定対象部材が傷つけられるのを防止したり、被覆材の大きな摩擦力によって安定して巻き付け固定状態を維持する等の上で好ましいものとなる。
【０００９】
前記多機能ボックスは、電源スイッチをさらに有し、
前記電源スイッチが、シャッタボタンとオンフックボタンとを兼用している、
ようにしてある（請求項３対応）。この場合、極力スイッチの数を少なくして、安価に製造する等の上で好ましいものとなる。
【００１０】
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ようにしてある（請求項４対応）。この場合、必要に応じて、延長用脚部を利用して三脚の脚部を十分に長いものとして、周方向長さ大きい固定対象物、例えば人間の脚部や胴体に巻き付け固定して使用する等の上で好ましいものとなる。
【００１１】
前記多機能ボックスは、先端部に前記携帯情報端末のイヤホンジャックに着脱自在に接続される接続部を有する連結紐を有している、ようにしてある（請求項５対応）。この場合、連結紐を介した接続（連結）により、多機能ボックスを携帯情報端末との一体物として取り扱えるようにして、多機能ボックスを忘れてしまう等の事態を防止する等の上で好ましいものとなる。勿論、連結紐を介して携帯情報端末に対して多機能ボックスを保持させておく、という点でも好ましいものとなる。
【００１２】
前記ホルダが、小型の携帯情報端末用と大型の携帯情報端末用との少なくとも２種類設けられている、ようにしてある（請求項６対応）。この場合、携帯情報端末の大きさの相違に対応する上で好ましいものとなる。
【００１３】
前記目的を達成するため、本考案における三脚にあっては次のような解決手法を採択してある。すなわち、請求項７に記載のように、
携帯情報端末を保持したホルダが着脱自在に取付られる三脚であって、
各脚部が、３６０度以上曲げ変形可能とされている、
ようにしてある。上記解決手法によれば、通常の（一般的な）三脚と同様の用い方ができる他、三脚の脚部を大きく曲げ変形させて、例えば自動車のバックミラーや、自転車、オートバイのハンドル等に巻き付けて固定しておくことにより、携帯情報端末を安定した好ましい姿勢状態に保持して、カメラ機能（撮影機能）、ナビゲーション機能、ドライブレコーダ機能等として使用する上で好ましいものとなる。勿論、三脚の脚部を、室内等においても適宜の棒状部材に巻き付け固定して、室内の所望の角度位置から撮影を行う等の上でも好ましいものとなる。勿論、請求項１〜請求項５に記載のアクセサリセット体を構成するための三脚として用いることができる。
【００１４】
上記解決手法を前提とした好ましい態様は、次のとおりである。すなわち、
前記脚部は、曲げ変形可能な心材となる針金と、該針金の外周を覆うクッション性を有する被覆材とによって構成されている、ようにしてある（請求項８対応）。この場合、脚部を安価に構成しつつ、被覆材により手触りのよいものとなる他、棒状部材等の適宜の固定対象部材に脚部を巻き付け固定する際に、固定対象部材が傷つけられるのを防止したり、被覆材の大きな摩擦力によって安定して巻き付け固定状態を維持する等の上で好ましいものとなる。
【００１５】
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ようにしてある（請求項９対応）。この場合、必要に応じて、延長用脚部を利用して三脚の脚部を十分に長いものとして、周方向長さ大きい固定対象物、例えば人間の脚部や胴体に巻き付け固定して使用する等の上で好ましいものとなる。
【００１６】
前記目的を達成するため、本考案における多機能ボックスにあっては次のような解決手法を採択してある。すなわち、請求項１０に記載のように、
携帯情報端末と無線通信され、該携帯情報端末に関してのスピーカ機能とマイク機能とシャッタ機能とオンフック機能とを有している、ようにしてある。上記解決手法によれば、無線通信を介して、携帯情報端末のスピーカ機能、マイク機能、シャッタ機能およびオンフック機能を有しているので、携帯情報端末の音声を所望音量に拡大して聴いたり、ハンズフリーでもって電話をしたり、遠隔操作で所望タイミングでシャッタ機能を発揮させる等の上で好ましいものとなる。勿論、請求項１〜請求項５に記載のアクセサリセット体を構成するための多機能ボックスとして用いることができる。
【００１７】
上記解決手法を前提とした好ましい態様は、次のとおりである。すなわち、
電源スイッチをさらに有し、
前記電源スイッチが、シャッタボタンとオンフックボタンとを兼用している、
ようにしてある（請求項１１対応）。この場合、極力スイッチの数を少なくして、安価に製造する等の上で好ましいものとなる。
【００１８】
先端部に前記携帯情報端末のイヤホンジャックに着脱自在に接続される接続部を有する連結紐を有している、ようにしてある（請求項１２対応）。この場合、連結紐を介した接続（連結）により、多機能ボックスを携帯情報端末との一体物として取り扱えるようにして、多機能ボックスを忘れてしまう等の事態を防止する等の上で好ましいものとなる。勿論、連結紐を介して携帯情報端末に対して多機能ボックスを保持させておく、という点でも好ましいものとなる。
【考案の効果】
【００１９】
本考案によれば、携帯情報端末を種々のシーンでもって使い勝手のよい形態でもって使用することができる。
【図面の簡単な説明】
【００２０】
【図１】本考案によるアクセサリセット体が箱詰めされた状態を示す平面図。
【図２】多機能ボックスを示す拡大斜視図。
【図３】多機能ボックスの内部構成をブロック図的に示す図。
【図４】小型のホルダを用いて携帯情報端末を三脚に保持させた例を示す斜視図。
【図５】大型のホルダを用いて携帯情報端末を三脚に保持させた例を示す斜視図。
【図６】三脚の脚部を自動車のバックミラーに巻き付け固定した状態で、携帯情報端末を保持した状態を示す斜視図。
【図７】三脚の脚部を、自転車の買い物籠に巻き付け固定した状態で、携帯情報端末を保持した例を示す斜視図。
【図８】三脚の脚部に延長用脚部を接続するときの状態を示す図。
【考案を実施するための形態】
【００２１】
図１において、１は、携帯情報端末用のアクセサリセット体のケース内箱であり、図示を略す蓋箱によって施蓋されるようになっている。アクセサリセット体としては、三脚１０、小型のホルダ２０、大型のホルダ３０、多機能ボックス４０とが含まれ、この他に図示を略す多機能ボックス４０への充電用のＵＳＢケーブルが含まれている。なお、ケース内箱１内に収納された図示を略す仕切部材（仕分け部材）によって、各部材１０、２０、３０、４０が図１に示すように位置決めされた状態でもって収納されるようになっている。
【００２２】
三脚１０は、取付部１１と、取付部１１に球面継手１２を介して接続（連結）された３本の脚部１３を有する。取付部１１は、取付ネジ１１ａを有する。この取付ネジ１１ａは、規格品とされて、市販のカメラが取付られる他、上記ホルダ２０、３０が取付けられる。このため、ホルダ２０、３０には、取付ネジ１ａが螺合されるネジ孔２０ａ、３０ａが形成されている。
【００２３】
各脚部１３は、球面継手１２により、取付部１１に対して所望方向へ伸びるようにすることが可能である。この脚部１３は、芯金としての針金１３ａと、針金１３ａを全体的に被覆するスポンジ等のクッション材からなる被覆材１３ｂとを有する。なお、図１では、一部の脚部１３についてのみ、針金１３ａを破線で示してあるが、他の脚部１３も同様に構成されている。被覆材１３ｂは、外周面の摩擦あるいは引っ掛け機能が大きくなるように、団子形状部分を連続して形成した外周形状とされている。脚部１３の先端部は、例えば硬質の合成樹脂からなる支持足１３ｃとされている。
【００２４】
脚部１３つまり針金１３ａは、棒状部材等の固定対象物に対して巻き付け固定できるように、３６０度以上曲げ変形可能とされている。実施形態では、各脚部１３は、７２０度以上曲げ変形可能とされている（２重巻き以上の巻き付けが可能）。このような脚部１３は、大きく曲げ変形された状態と略直線状とされた状態との間で、繰り返し変形させることが可能となっている。
【００２５】
小型のホルダ２０は、小型の携帯情報端末用（例えばスマートフォン用）とされて、一対の挟持部２１、２２を有する。一方の挟持部２１は、ホルダ２０と一体化される一方、他方の挟持部２２は、一方の挟持部２１に対して接近、離間するようにスライド可能となっている。そして、常時は、挟持部２１と２２との間が最小間隔となるように、図示を略すバネによって他方の挟持部２２が一方の挟持部２１に向かうように付勢されている。
【００２６】
大型のホルダ３０は、タブレット型の携帯情報端末用とされて、一対の挟持部３１、３２を有する。各挟持部３１、３２は、左右一対設けられている。一方の挟持部３１はホルダ３０と一体化されている。他方の挟持部３２は、一方の挟持部３１に対して接近、離間するようにスライド可能となっている。他方の挟持部３２側の部材のうち、スライド可能な部分が図中破線で示されている。この他方の挟持部３２には、固定ねじ３３が螺合されていて、一対の挟持部３１と３２とを所望間隔とした状態で、固定ねじ３３を締め付けることにより、一対の挟持部３１と３２との間隔が維持される。
【００２７】
多機能ボックス４０は、携帯式となるように十分に小型軽量化されていて、図２に示すように、例えば一片が３ｃｍ程度の略立法体形状とされている。この多機能ボックス４０の機能については後述するが、多機能ボックス４０のケーシング（外殻）は、例えば合成樹脂によって構成されている。多機能ボックス４０（のケーシング）には、連結紐４１が連結されている。連結紐４１の先端部には、携帯情報端末のイヤホンハックに接続（連結）される接続部４２が取付けられている。すなわち、多機能ボックス４０は、接続部４２を携帯情報端末のイヤホンジャックに差し込んでおくことにより、携帯情報端末との一体化物としておくことが可能である。
【００２８】
多機能ボックス４０は、図３に示すように、電源スイッチ５１、スピーカ５２、マイク５３、通信部５４（例えばBluetooth（登録商標））、ＬＥＤ５５、充電式のバッテリ５６、ＣＰＵからなる制御部５７を有する。
【００２９】
電源スイッチ５１は、例えばプッシュ式とされて、多機能ボックス４０のある一面側に露出されているが、当該一面からは突出しないようにされている。スピーカ５２は、例えば電源スイッチ５１とは反対側の面から音声を発するように配設されている。マイク５３は、電源スイッチ５１、スピーカ５２とは別の面から音声が入力されるように配設されている。ＬＥＤ５５は、電源スイッチ５１と同一の面に設けられて、電源スイッチ５１がオンされているときに発光される（発光状態が外部から目視可能）。
【００３０】
バッテリ５６は、例えばＵＳＢケーブルを介して充電されるようになっており、この充電用のＵＳＢ端子の接続部が図２において符号４３で示される。ＣＰＵからなる制御部５７は、電源スイッチ５１の操作状態および、通信部５４を介して無線接続された携帯情報端末の操作内容に応じて、後述するような機能を発揮するように制御を行う。
【００３１】
次に、多機能ボックス４０の機能（制御部５７の制御内容）について説明する。なお、多機能ボックス４０と携帯情報端末との通信は、携帯情報端末側でもってあらかじめ多機能ボックス４０との接続を可能とする初期化を行うことにより実行される。
【００３２】
多機能ボックス４０の機能について、携帯情報端末と無線通信可能な状態であることを前提として以下に説明する。まず、電源スイッチ５１は、長押し（例えば２〜３秒）することによりオンあるいはオフされて、オンされたときにＬＥＤ５５が点灯される。
【００３３】
電話の着信があると、スピーカ５２から着信音声が流れ、この状態で電源スイッチ５１を短押しすると、相手側と通話することが可能となる（オンフック機能）。電話中は、スピーカ５２から相手方の音声が発せられる。また、当方側の音声がマイク５３を通じて相手方に伝達される。勿論、当方側から電話したときも、スピーカ５２から相手方の音声が発せられ、当方側の音声がマイク５３を通じて相手方に伝達される。このように、多機能ボックス４０を利用して、携帯情報端末をハンズフリー状態でもって使用することができる。
【００３４】
携帯情報端末がカメラとして機能されるときで、静止画を選択している状態において、電源スイッチ５１を短押しすることにより、携帯情報端末がシャッタ操作される（シャッタ機能）。携帯情報端末が、動画を選択している状態において、電源スイッチ５１を短押しすることにより、携帯情報端末による動画の撮影が開始される。この状態で、再び電源スイッチ５１を短押しすることにより、携帯情報端末による動画の撮影が終了される。
【００３５】
携帯情報端末がナビゲーション装置として機能しているときは、例えば目的地への経路誘導の際の注意事項等が、スピーカ５２から発せられる。多機能ボックス４０は、無線通信を介して携帯情報端末と接続されるので、携帯情報端末と離れた位置から携帯情報端末をコントロールすることが可能である。
【００３６】
次に、三脚１０を用いた携帯情報端末の保持態様について説明する。まず、図４は、小型のホルダ２０を用いて、小型の携帯情報端末を保持している状態が示される。携帯情報端末は、例えばスマートフォンとされて、図中符号Ｋ１で示される。図５は、大型のホルダ３０を用いて、大型の携帯情報端末を保持している状態が示される。携帯情報端末は、例えばタブレット型のパーソナルコンピュータとされて、図中符号Ｋ２で示される。図４、図５の使用例共に、一般的な三脚の使用態様と同じである。なお、三脚１０の脚部１３は、大きく曲げ変形することが可能なので、三脚１０の設置場所に大きな傾斜や凹凸部分があっても、脚部１３を適宜曲げ変形させることにより、安定した姿勢でもって携帯情報端末Ｋ１２、Ｋ２を支持しておくことができる。
【００３７】
図６は、三脚１０の脚部１３を、自動車におけるバックミラー６１の端部に巻き付け固定したものである。ホルダ２０を介して三脚１０に保持された携帯情報端末Ｋ１は、その画面を運転者側に向けた状態とされている。すなわち、携帯情報端末Ｋ１を、例えばナビゲーション装置として機能させたり、あるいは前方を動画撮影するドライブレコーダとして機能させる際に好適な取付状態となっており、この他、ハンズフリーでの通話を行う際にも好ましい取付状態となっている。なお、図６では、多機能ボックス４０は示されないが、例えば、コンソールボックス等、運転者の手の届く範囲に配設されて、携帯情報端末Ｋ１が多機能ボックス４０を介して遠隔操作される。
【００３８】
図７は、三脚１０を、自転車７１に取付けてある買い物籠７２に巻き付け固定した状態が示される。ホルダ２０を利用して三脚１０に保持された携帯情報端末Ｋ１は、図６の場合と同様にして使用する上で好ましいものとなる。
【００３９】
図８は、長尺の延長用脚部１５を別途用いる場合が示される。このため、三脚１０における脚部１３の先端部に、接続用ネジ部（雄ネジ部）１３ｄを形成してある。そして、延長用脚部１５を用いない場合は、この接続用ネジ部１３ｄに、支持足１３ｃ（の雌ネジ部）を螺合するようにしてある。なお、三脚１０の脚部１３の長さは、例えば２５〜３０ｃｍ程度とされているのに対して、延長用脚部１５の長さは十分に長く設定されている（例えば６０〜１２０ｃｍ）。なお、延長用脚部１５は、脚部１３と同様に針金１３ａと被覆材１３ｂとによって構成されて、３６０度以上（実施形態では７２０度以上）大きく曲げ変形させることが可能となっている。
【００４０】
一方、延長用脚部１５の一端部には、三脚１０の脚部１３の接続用ネジ部（雄ネジ部）１３ｄに螺合されるネジ部（雌ネジ部）１５ａが形成されている。また、延長用脚部１５の他端部には、接続用ネジ部（雄ネジ部）１５ｂが形成されている。この接続用ネジ部（雄ネジ部）１５ｂは、三脚１０の脚部１３に形成された上記接続用ネジ部１３ｄに対応しており、支持足１３ｃ（雌ネジ部）が螺合可能となっている。
【００４１】
延長用脚部１５を用いる場合は、三脚１０の脚部１３から支持足１３ｃを取外して、脚部１３の接続用ネジ部１３ｄに対して、延長用脚部１５ネジ部１５ａを接続する。そして、取外された支持足１３ｃが、延長用脚部１５の他端部に形成されている接続用ネジ部１５ｂに接続される。このような、延長用脚部１５は、三脚１０の各脚部毎に接続できるようにしてもよく、一部の脚部１３に対してのみ延長用脚部１５が接続できるようにしてもよい。
【００４２】
三脚１０の脚部１３に延長用脚部１５が接続された場合は、例えば、人体の脚部や胴体等の周周り長さが大きい固定対象物に対しても、三脚１０（の脚部１３、１５）を巻き付け固定することが可能となる。例えば、歩行中やジョギングしているとき等において、携帯情報端末により自分自身を動画撮影したり、前方や側方あるいは後方の風景を動画撮影することができる。
【００４３】
以上実施形態について説明したが、本考案は、実施形態に限定されるものではなく、実用新案登録請求の範囲の記載された範囲において適宜の変更が可能であり、例えば次のような場合をも含むものである。ホルダ２０、３０の構造は適宜のものとすることができる（市販されている各種のホルダを利用することもできる）。脚部１３を利用した固定対象物としては、例えば室外や室内にある各種の部材等、適宜選択できるものである。脚部１３の数は、３本以上であれば、４本以上であってもよい。多機能ボックス４０の外殻形状は、球体にする等、適宜の形状とすることができる。勿論、本考案の目的は、明記されたものに限らず、実質的に好ましいあるいは利点として表現されたものを提供することをも暗黙的に含むものである。
【産業上の利用可能性】
【００４４】
本考案は、種々のシーンでもって携帯情報端末を使い勝手のよい状態で使用する上で好ましいものとなる。
【符号の説明】
【００４５】
１０：三脚
１３：脚部
１３ａ：針金
１３ｂ：被覆材
１３ｄ：接続用ねじ部（延長用脚部の接続用）
１５：延長用脚部
１５ａ：接続用ネジ部
２０：ホルダ（小型）
３０：ホルダ（大型）
４０：多機能ボックス
４１：連結紐
４２：接続部（イヤホンジャック用）
５１：電源スイッチ
５２：スピーカ
５３：マイク
５４：通信部
５５：ＬＥＤ
５６：バッテリ
５７：制御部
Ｋ１：携帯情報端末（小型）
Ｋ２：携帯情報端末（大型）
【図１】
0003201014.tif 000003
【図２】
0003201014.tif 000004
【図３】
0003201014.tif 000005
【図４】
0003201014.tif 000006
【図５】
0003201014.tif 000007
【図６】
0003201014.tif 000008
【図７】
0003201014.tif 000009
【図８】
0003201014.tif 000010
【手続補正書】
【提出日】平成27年9月11日(2015.9.11)
【手続補正１】
【補正対象書類名】明細書
【補正対象項目名】全文
【補正方法】変更
【補正の内容】
【考案の詳細な説明】
【技術分野】
【０００１】
本考案は、携帯情報端末用のアクセサリセット体および三脚に関するものである。
【背景技術】
【０００２】
スマートフォンやタブレット型のパーソナルコンピュータのような携帯情報端末が広く普及している。この携帯情報端末は、電話機能、カメラ機能、ナビゲーション機能、メール機能、インターネット機能等々、各種の機能を有している他、アプリケーションを適宜追加することにより多種多様の機能を発揮することが可能となっている。このようなことから、携帯情報端末を用いたユーザによる楽しみ方も広がる傾向にある。例えば、一般的なカメラと同様に三脚を利用した撮影を行う他に、自動車においては、ナビゲーション機能を使用したり、カメラ機能のうち動画撮影機能を利用してドライブレコーダとして使用されることも行われている。特許文献１には、三脚に対して携帯情報端末を取付けるためのホルダが開示されている。
【先行技術文献】
【特許文献】
【０００３】
【特許文献１】特開２０１１−３０２１４号公報
【考案の概要】
【考案が解決しようとする課題】
【０００４】
ところで、携帯情報端末を利用した楽しみ方をより広げるために、携帯情報端末が種々のシーンでより使い勝手のよい形態でもって使用できることが望まれるものである。
【０００５】
本考案は以上のような事情を勘案してなされたもので、その目的は、種々の状況に応じて携帯情報端末を使い勝手のよい形態でもって使用できるようにした携帯情報端末用のアクセサリセット体および三脚を提供することにある。
【課題を解決するための手段】
【０００６】
前記目的を達成するため、本考案における携帯情報端末用のアクセサリセット体にあっては次のような解決手法を採択してある。すなわち、請求項１に記載のように、
三脚と、
前記三脚に着脱自在に取付けられ、携帯情報端末を保持するホルダと、
前記携帯情報端末と無線通信される携帯式の多機能ボックスと、
を備え、
前記三脚における各脚部は、３６０度以上曲げ変形可能とされ、
前記多機能ボックスは、前記携帯情報端末に関してのスピーカ機能とマイク機能とシャッタ機能とオンフック機能とを有している、
ようにしてある。
【０００７】
上記解決手法によれば、携帯情報端末を保持したホルダを三脚に取付けることにより、通常の（一般的）な三脚を利用した場合と同様の使用の仕方を得ることができる。また、三脚の脚部を大きく曲げ変形させて、例えば自動車のバックミラーや、自転車、オートバイのハンドル等に巻き付けて固定しておくことにより、携帯情報端末を安定した好ましい姿勢状態に保持して、カメラ機能（撮影機能）、ナビゲーション機能、ドライブレコーダ機能等として使用する上で好ましいものとなる。勿論、三脚の脚部を、室内等においても適宜の棒状部材に巻き付け固定して、室内の所望の角度位置から撮影を行う等の上でも好ましいものとなる。また、多機能ボックスが、無線通信を介して、携帯情報端末のスピーカ機能、マイク機能、シャッタ機能およびオンフック機能を有しているので、携帯情報端末の音声を所望音量に拡大して聴いたり、ハンズフリーでもって電話をしたり、遠隔操作で所望タイミングでシャッタ機能を発揮させる等の上で好ましいものとなる。
【０００８】
上記解決手法を前提とした好ましい態様は、請求項２〜請求項５に記載のとおりである。すなわち、
前記脚部は、曲げ変形可能な心材となる針金と、該針金の外周を覆うクッション性を有する被覆材とによって構成されている、ようにしてある（請求項２対応）。この場合、脚部を安価に構成しつつ、被覆材により手触りのよいものとなる他、棒状部材等の適宜の固定対象部材に脚部を巻き付け固定する際に、固定対象部材が傷つけられるのを防止したり、被覆材の大きな摩擦力によって安定して巻き付け固定状態を維持する等の上で好ましいものとなる。
【０００９】
前記多機能ボックスは、電源スイッチをさらに有し、
前記電源スイッチが、シャッタボタンとオンフックボタンとを兼用している、
ようにしてある（請求項３対応）。この場合、極力スイッチの数を少なくして、安価に製造する等の上で好ましいものとなる。
【００１０】
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ようにしてある（請求項４対応）。この場合、必要に応じて、延長用脚部を利用して三脚の脚部を十分に長いものとして、周方向長さ大きい固定対象物、例えば人間の脚部や胴体に巻き付け固定して使用する等の上で好ましいものとなる。
【００１１】
前記多機能ボックスは、先端部に前記携帯情報端末のイヤホンジャックに着脱自在に接続される接続部を有する連結紐を有している、ようにしてある（請求項５対応）。この場合、連結紐を介した接続（連結）により、多機能ボックスを携帯情報端末との一体物として取り扱えるようにして、多機能ボックスを忘れてしまう等の事態を防止する等の上で好ましいものとなる。勿論、連結紐を介して携帯情報端末に対して多機能ボックスを保持させておく、という点でも好ましいものとなる。
【００１２】
前記ホルダが、小型の携帯情報端末用と大型の携帯情報端末用との少なくとも２種類設けられている、ようにしてある（請求項６対応）。この場合、携帯情報端末の大きさの相違に対応する上で好ましいものとなる。
【００１３】
前記目的を達成するため、本考案における三脚にあっては次のような解決手法を採択してある。すなわち、請求項７に記載のように、
携帯情報端末を保持したホルダが着脱自在に取付られる三脚であって、
各脚部が、３６０度以上曲げ変形可能とされている、
ようにしてある。上記解決手法によれば、通常の（一般的な）三脚と同様の用い方ができる他、三脚の脚部を大きく曲げ変形させて、例えば自動車のバックミラーや、自転車、オートバイのハンドル等に巻き付けて固定しておくことにより、携帯情報端末を安定した好ましい姿勢状態に保持して、カメラ機能（撮影機能）、ナビゲーション機能、ドライブレコーダ機能等として使用する上で好ましいものとなる。勿論、三脚の脚部を、室内等においても適宜の棒状部材に巻き付け固定して、室内の所望の角度位置から撮影を行う等の上でも好ましいものとなる。勿論、請求項１〜請求項５に記載のアクセサリセット体を構成するための三脚として用いることができる。
【００１４】
上記解決手法を前提とした好ましい態様は、次のとおりである。すなわち、
前記脚部は、曲げ変形可能な心材となる針金と、該針金の外周を覆うクッション性を有する被覆材とによって構成されている、ようにしてある（請求項８対応）。この場合、脚部を安価に構成しつつ、被覆材により手触りのよいものとなる他、棒状部材等の適宜の固定対象部材に脚部を巻き付け固定する際に、固定対象部材が傷つけられるのを防止したり、被覆材の大きな摩擦力によって安定して巻き付け固定状態を維持する等の上で好ましいものとなる。
【００１５】
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ようにしてある（請求項９対応）。この場合、必要に応じて、延長用脚部を利用して三脚の脚部を十分に長いものとして、周方向長さ大きい固定対象物、例えば人間の脚部や胴体に巻き付け固定して使用する等の上で好ましいものとなる。
【００１６】
【００１７】
【００１８】
【考案の効果】
【００１９】
本考案によれば、携帯情報端末を種々のシーンでもって使い勝手のよい形態でもって使用することができる。
【図面の簡単な説明】
【００２０】
【図１】本考案によるアクセサリセット体が箱詰めされた状態を示す平面図。
【図２】多機能ボックスを示す拡大斜視図。
【図３】多機能ボックスの内部構成をブロック図的に示す図。
【図４】小型のホルダを用いて携帯情報端末を三脚に保持させた例を示す斜視図。
【図５】大型のホルダを用いて携帯情報端末を三脚に保持させた例を示す斜視図。
【図６】三脚の脚部を自動車のバックミラーに巻き付け固定した状態で、携帯情報端末を保持した状態を示す斜視図。
【図７】三脚の脚部を、自転車の買い物籠に巻き付け固定した状態で、携帯情報端末を保持した例を示す斜視図。
【図８】三脚の脚部に延長用脚部を接続するときの状態を示す図。
【考案を実施するための形態】
【００２１】
図１において、１は、携帯情報端末用のアクセサリセット体のケース内箱であり、図示を略す蓋箱によって施蓋されるようになっている。アクセサリセット体としては、三脚１０、小型のホルダ２０、大型のホルダ３０、多機能ボックス４０とが含まれ、この他に図示を略す多機能ボックス４０への充電用のＵＳＢケーブルが含まれている。なお、ケース内箱１内に収納された図示を略す仕切部材（仕分け部材）によって、各部材１０、２０、３０、４０が図１に示すように位置決めされた状態でもって収納されるようになっている。
【００２２】
三脚１０は、取付部１１と、取付部１１に球面継手１２を介して接続（連結）された３本の脚部１３を有する。取付部１１は、取付ネジ１１ａを有する。この取付ネジ１１ａは、規格品とされて、市販のカメラが取付られる他、上記ホルダ２０、３０が取付けられる。このため、ホルダ２０、３０には、取付ネジ１ａが螺合されるネジ孔２０ａ、３０ａが形成されている。
【００２３】
各脚部１３は、球面継手１２により、取付部１１に対して所望方向へ伸びるようにすることが可能である。この脚部１３は、芯金としての針金１３ａと、針金１３ａを全体的に被覆するスポンジ等のクッション材からなる被覆材１３ｂとを有する。なお、図１では、一部の脚部１３についてのみ、針金１３ａを破線で示してあるが、他の脚部１３も同様に構成されている。被覆材１３ｂは、外周面の摩擦あるいは引っ掛け機能が大きくなるように、団子形状部分を連続して形成した外周形状とされている。脚部１３の先端部は、例えば硬質の合成樹脂からなる支持足１３ｃとされている。
【００２４】
脚部１３つまり針金１３ａは、棒状部材等の固定対象物に対して巻き付け固定できるように、３６０度以上曲げ変形可能とされている。実施形態では、各脚部１３は、７２０度以上曲げ変形可能とされている（２重巻き以上の巻き付けが可能）。このような脚部１３は、大きく曲げ変形された状態と略直線状とされた状態との間で、繰り返し変形させることが可能となっている。
【００２５】
小型のホルダ２０は、小型の携帯情報端末用（例えばスマートフォン用）とされて、一対の挟持部２１、２２を有する。一方の挟持部２１は、ホルダ２０と一体化される一方、他方の挟持部２２は、一方の挟持部２１に対して接近、離間するようにスライド可能となっている。そして、常時は、挟持部２１と２２との間が最小間隔となるように、図示を略すバネによって他方の挟持部２２が一方の挟持部２１に向かうように付勢されている。
【００２６】
大型のホルダ３０は、タブレット型の携帯情報端末用とされて、一対の挟持部３１、３２を有する。各挟持部３１、３２は、左右一対設けられている。一方の挟持部３１はホルダ３０と一体化されている。他方の挟持部３２は、一方の挟持部３１に対して接近、離間するようにスライド可能となっている。他方の挟持部３２側の部材のうち、スライド可能な部分が図中破線で示されている。この他方の挟持部３２には、固定ねじ３３が螺合されていて、一対の挟持部３１と３２とを所望間隔とした状態で、固定ねじ３３を締め付けることにより、一対の挟持部３１と３２との間隔が維持される。
【００２７】
多機能ボックス４０は、携帯式となるように十分に小型軽量化されていて、図２に示すように、例えば一片が３ｃｍ程度の略立法体形状とされている。この多機能ボックス４０の機能については後述するが、多機能ボックス４０のケーシング（外殻）は、例えば合成樹脂によって構成されている。多機能ボックス４０（のケーシング）には、連結紐４１が連結されている。連結紐４１の先端部には、携帯情報端末のイヤホンハックに接続（連結）される接続部４２が取付けられている。すなわち、多機能ボックス４０は、接続部４２を携帯情報端末のイヤホンジャックに差し込んでおくことにより、携帯情報端末との一体化物としておくことが可能である。
【００２８】
多機能ボックス４０は、図３に示すように、電源スイッチ５１、スピーカ５２、マイク５３、通信部５４（例えばBluetooth）、ＬＥＤ５５、充電式のバッテリ５６、ＣＰＵからなる制御部５７を有する。
【００２９】
電源スイッチ５１は、例えばプッシュ式とされて、多機能ボックス４０のある一面側に露出されているが、当該一面からは突出しないようにされている。スピーカ５２は、例えば電源スイッチ５１とは反対側の面から音声を発するように配設されている。マイク５３は、電源スイッチ５１、スピーカ５２とは別の面から音声が入力されるように配設されている。ＬＥＤ５５は、電源スイッチ５１と同一の面に設けられて、電源スイッチ５１がオンされているときに発光される（発光状態が外部から目視可能）。
【００３０】
バッテリ５６は、例えばＵＳＢケーブルを介して充電されるようになっており、この充電用のＵＳＢ端子の接続部が図２において符号４３で示される。ＣＰＵからなる制御部５７は、電源スイッチ５１の操作状態および、通信部５４を介して無線接続された携帯情報端末の操作内容に応じて、後述するような機能を発揮するように制御を行う。
【００３１】
次に、多機能ボックス４０の機能（制御部５７の制御内容）について説明する。なお、多機能ボックス４０と携帯情報端末との通信は、携帯情報端末側でもってあらかじめ多機能ボックス４０との接続を可能とする初期化を行うことにより実行される。
【００３２】
多機能ボックス４０の機能について、携帯情報端末と無線通信可能な状態であることを前提として以下に説明する。まず、電源スイッチ５１は、長押し（例えば２〜３秒）することによりオンあるいはオフされて、オンされたときにＬＥＤ５５が点灯される。
【００３３】
電話の着信があると、スピーカ５２から着信音声が流れ、この状態で電源スイッチ５１を短押しすると、相手側と通話することが可能となる（オンフック機能）。電話中は、スピーカ５２から相手方の音声が発せられる。また、当方側の音声がマイク５３を通じて相手方に伝達される。勿論、当方側から電話したときも、スピーカ５２から相手方の音声が発せられ、当方側の音声がマイク５３を通じて相手方に伝達される。このように、多機能ボックス４０を利用して、携帯情報端末をハンズフリー状態でもって使用することができる。
【００３４】
携帯情報端末がカメラとして機能されるときで、静止画を選択している状態において、電源スイッチ５１を短押しすることにより、携帯情報端末がシャッタ操作される（シャッタ機能）。携帯情報端末が、動画を選択している状態において、電源スイッチ５１を短押しすることにより、携帯情報端末による動画の撮影が開始される。この状態で、再び電源スイッチ５１を短押しすることにより、携帯情報端末による動画の撮影が終了される。
【００３５】
携帯情報端末がナビゲーション装置として機能しているときは、例えば目的地への経路誘導の際の注意事項等が、スピーカ５２から発せられる。多機能ボックス４０は、無線通信を介して携帯情報端末と接続されるので、携帯情報端末と離れた位置から携帯情報端末をコントロールすることが可能である。
【００３６】
次に、三脚１０を用いた携帯情報端末の保持態様について説明する。まず、図４は、小型のホルダ２０を用いて、小型の携帯情報端末を保持している状態が示される。携帯情報端末は、例えばスマートフォンとされて、図中符号Ｋ１で示される。図５は、大型のホルダ３０を用いて、大型の携帯情報端末を保持している状態が示される。携帯情報端末は、例えばタブレット型のパーソナルコンピュータとされて、図中符号Ｋ２で示される。図４、図５の使用例共に、一般的な三脚の使用態様と同じである。なお、三脚１０の脚部１３は、大きく曲げ変形することが可能なので、三脚１０の設置場所に大きな傾斜や凹凸部分があっても、脚部１３を適宜曲げ変形させることにより、安定した姿勢でもって携帯情報端末Ｋ１２、Ｋ２を支持しておくことができる。
【００３７】
図６は、三脚１０の脚部１３を、自動車におけるバックミラー６１の端部に巻き付け固定したものである。ホルダ２０を介して三脚１０に保持された携帯情報端末Ｋ１は、その画面を運転者側に向けた状態とされている。すなわち、携帯情報端末Ｋ１を、例えばナビゲーション装置として機能させたり、あるいは前方を動画撮影するドライブレコーダとして機能させる際に好適な取付状態となっており、この他、ハンズフリーでの通話を行う際にも好ましい取付状態となっている。なお、図６では、多機能ボックス４０は示されないが、例えば、コンソールボックス等、運転者の手の届く範囲に配設されて、携帯情報端末Ｋ１が多機能ボックス４０を介して遠隔操作される。
【００３８】
図７は、三脚１０を、自転車７１に取付けてある買い物籠７２に巻き付け固定した状態が示される。ホルダ２０を利用して三脚１０に保持された携帯情報端末Ｋ１は、図６の場合と同様にして使用する上で好ましいものとなる。
【００３９】
図８は、長尺の延長用脚部１５を別途用いる場合が示される。このため、三脚１０における脚部１３の先端部に、接続用ネジ部（雄ネジ部）１３ｄを形成してある。そして、延長用脚部１５を用いない場合は、この接続用ネジ部１３ｄに、支持足１３ｃ（の雌ネジ部）を螺合するようにしてある。なお、三脚１０の脚部１３の長さは、例えば２５〜３０ｃｍ程度とされているのに対して、延長用脚部１５の長さは十分に長く設定されている（例えば６０〜１２０ｃｍ）。なお、延長用脚部１５は、脚部１３と同様に針金１３ａと被覆材１３ｂとによって構成されて、３６０度以上（実施形態では７２０度以上）大きく曲げ変形させることが可能となっている。
【００４０】
一方、延長用脚部１５の一端部には、三脚１０の脚部１３の接続用ネジ部（雄ネジ部）１３ｄに螺合されるネジ部（雌ネジ部）１５ａが形成されている。また、延長用脚部１５の他端部には、接続用ネジ部（雄ネジ部）１５ｂが形成されている。この接続用ネジ部（雄ネジ部）１５ｂは、三脚１０の脚部１３に形成された上記接続用ネジ部１３ｄに対応しており、支持足１３ｃ（雌ネジ部）が螺合可能となっている。
【００４１】
延長用脚部１５を用いる場合は、三脚１０の脚部１３から支持足１３ｃを取外して、脚部１３の接続用ネジ部１３ｄに対して、延長用脚部１５ネジ部１５ａを接続する。そして、取外された支持足１３ｃが、延長用脚部１５の他端部に形成されている接続用ネジ部１５ｂに接続される。このような、延長用脚部１５は、三脚１０の各脚部毎に接続できるようにしてもよく、一部の脚部１３に対してのみ延長用脚部１５が接続できるようにしてもよい。
【００４２】
三脚１０の脚部１３に延長用脚部１５が接続された場合は、例えば、人体の脚部や胴体等の周周り長さが大きい固定対象物に対しても、三脚１０（の脚部１３、１５）を巻き付け固定することが可能となる。例えば、歩行中やジョギングしているとき等において、携帯情報端末により自分自身を動画撮影したり、前方や側方あるいは後方の風景を動画撮影することができる。
【００４３】
以上実施形態について説明したが、本考案は、実施形態に限定されるものではなく、実用新案登録請求の範囲の記載された範囲において適宜の変更が可能であり、例えば次のような場合をも含むものである。ホルダ２０、３０の構造は適宜のものとすることができる（市販されている各種のホルダを利用することもできる）。脚部１３を利用した固定対象物としては、例えば室外や室内にある各種の部材等、適宜選択できるものである。脚部１３の数は、３本以上であれば、４本以上であってもよい。多機能ボックス４０の外殻形状は、球体にする等、適宜の形状とすることができる。勿論、本考案の目的は、明記されたものに限らず、実質的に好ましいあるいは利点として表現されたものを提供することをも暗黙的に含むものである。
【産業上の利用可能性】
【００４４】
本考案は、種々のシーンでもって携帯情報端末を使い勝手のよい状態で使用する上で好ましいものとなる。
【符号の説明】
【００４５】
１０：三脚
１３：脚部
１３ａ：針金
１３ｂ：被覆材
１３ｄ：接続用ねじ部（延長用脚部の接続用）
１５：延長用脚部
１５ａ：接続用ネジ部
２０：ホルダ（小型）
３０：ホルダ（大型）
４０：多機能ボックス
４１：連結紐
４２：接続部（イヤホンジャック用）
５１：電源スイッチ
５２：スピーカ
５３：マイク
５４：通信部
５５：ＬＥＤ
５６：バッテリ
５７：制御部
Ｋ１：携帯情報端末（小型）
Ｋ２：携帯情報端末（大型）
【手続補正２】
【補正対象書類名】実用新案登録請求の範囲
【補正対象項目名】全文
【補正方法】変更
【補正の内容】
【実用新案登録請求の範囲】
【請求項１】
三脚と、
前記三脚に着脱自在に取付けられ、携帯情報端末を保持するホルダと、
前記携帯情報端末と無線通信される携帯式の多機能ボックスと、
を備え、
前記三脚における各脚部は、３６０度以上曲げ変形可能とされ、
前記多機能ボックスは、前記携帯情報端末に関してのスピーカ機能とマイク機能とシャッタ機能とオンフック機能とを有している、
ことを特徴とする携帯情報端末用のアクセサリセット体。
【請求項２】
請求項１において、
前記脚部は、曲げ変形可能な心材となる針金と、該針金の外周を覆うクッション性を有する被覆材とによって構成されている、ことを特徴とする携帯情報端末用のアクセサリセット体。
【請求項３】
請求項１または請求項２において、
前記多機能ボックスは、電源スイッチをさらに有し、
前記電源スイッチが、シャッタボタンとオンフックボタンとを兼用している、
ことを特徴とする携帯情報端末用のアクセサリセット体。
【請求項４】
請求項１ないし請求項３のいずれか１項において、
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ことを特徴とする携帯情報端末用のアクセサリセット体。
【請求項５】
請求項１ないし請求項４のいずれか１項において、
前記多機能ボックスは、先端部に前記携帯情報端末のイヤホンジャックに着脱自在に接続される接続部を有する連結紐を有している、ことを特徴とする携帯情報端末用のアクセサリセット体。
【請求項６】
請求項１ないし請求項５のいずれか１項において、
前記ホルダが、小型の携帯情報端末用と大型の携帯情報端末用との少なくとも２種類設けられている、ことを特徴とする携帯情報端末用のアクセサリセット体。
【請求項７】
携帯情報端末を保持したホルダが着脱自在に取付られる三脚であって、
各脚部が、３６０度以上曲げ変形可能とされている、
ことを特徴とする三脚。
【請求項８】
請求項７において、
前記脚部は、曲げ変形可能な心材となる針金と、該針金の外周を覆うクッション性を有する被覆材とによって構成されている、ことを特徴とする三脚。
【請求項９】
請求項７または請求項８において、
一端部に第１接続部が構成されると共に３６０度以上曲げ変形可能とされた長尺の延長用脚部をさらに有し、
前記三脚の脚部先端部には、前記第１接続部が着脱自在に接続される第２接続部が構成されている、
ことを特徴とする三脚。